(57)【要約】【課題】直管ランプを容易に回動させることができ、且つ直管ランプの損傷のおそれが低減されたランプホルダーおよび照明器具を得る。【解決手段】照明器具の器具本体１１に取り付けられた直管ランプ４０を支持するランプホルダー１３であって、器具本体１１に取り付けられ、スリット２２が形成された円弧状のベース部２０ａを有する基台２０と、基台２０に回動自在に取り付けられた回動ホルダー３０と、を備え、回動ホルダー３０は、直管ランプ４０を保持するランプ保持部３２と、ランプ保持部３２に連結され、スリット２２に挿通された挿通部３１ｂと、挿通部３１ｂの先端に形成され、ベース部２０ａに引っ掛かる係り部３１ａと、を有する。【選択図】図２
2016001533.tif 000002
【特許請求の範囲】
【請求項１】
照明器具の器具本体に取り付けられた直管ランプを支持するランプホルダーであって、
前記器具本体に取り付けられ、スリットが形成された円弧状のベース部を有する基台と、
前記基台に回動自在に取り付けられた回動ホルダーと、を備え、
前記回動ホルダーは、前記直管ランプを保持するランプ保持部と、前記ランプ保持部に連結され、前記スリットに挿通された挿通部と、前記挿通部の先端に形成され、前記ベース部に引っ掛かる係り部と、を有することを特徴とするランプホルダー。
【請求項２】
前記スリットは、前記直管ランプの取付軸を中心とした前記挿通部の回動を、±９０度の範囲内で制限するように形成されたことを特徴とする請求項１記載のランプホルダー。
【請求項３】
前記係り部は、前記挿通部の回動が制限されたときに、前記基台に当接することを特徴とする請求項２記載のランプホルダー。
【請求項４】
前記回動ホルダーは、前記直管ランプが取付状態になったときに、前記直管ランプを落下方向で支持することを特徴とする請求項１〜請求項３の何れか１項に記載のランプホルダー。
【請求項５】
前記回動ホルダーは、前記直管ランプを挿入する挿入口を有し、
前記挿入口の少なくとも一部は、前記直管ランプが取付状態になったときに、前記基台に覆われることを特徴とする請求項１〜請求項４の何れか１項に記載のランプホルダー。
【請求項６】
請求項１〜請求項５の何れか１項に記載のランプホルダーと、
前記ランプホルダーが取り付けられた前記器具本体と、
前記器具本体に取り付けられた一対のソケットと、を備えたことを特徴とする照明器具。
【請求項７】
前記ランプホルダーに支持され、両端の口金が前記一対のソケットに取り付けられた前記直管ランプをさらに備え、
前記直管ランプを回動させたときに、当該直管ランプとともに、前記回動ホルダーが回動することを特徴とする請求項６記載の照明器具。
【発明の詳細な説明】
【技術分野】
【０００１】
この発明は、ランプホルダーおよび照明器具に関する。
【背景技術】
【０００２】
従来から、例えば８６Ｗタイプまたは１１０Ｗタイプなどの、長尺の直管ランプが取り付けられた照明器具において、直管ランプの中央部分で、直管ランプを支持するホルダーが設置されたものが知られている（例えば、特許文献１参照）。特許文献１に記載の照明器具では、ホルダーが、直管ランプの中央部を挟んで支持することによって、直管ランプのたわみ、破損および落下等を防止している。
【先行技術文献】
【特許文献】
【０００３】
【特許文献１】特開２００５−２７６６３２号公報（第５頁〜第６頁、図１）
【発明の概要】
【発明が解決しようとする課題】
【０００４】
直管ランプは、その端子をソケットに挿入した後に、直管ランプを回動させて、ソケットに取り付けられるものがある。このようなタイプの直管ランプを取り付ける場合に、特許文献１に記載の照明器具では、直管ランプがホルダーに狭持されているため、直管ランプを回動させにくい。また、特許文献１に記載の照明器具では、直管ランプを回動させたときに、直管ランプの中央部が、ホルダーと摺動しながら回動するため、直管ランプが損傷するおそれがある。
【０００５】
この発明は、上記のような課題を背景としてなされたものであり、直管ランプを容易に回動させることができ、且つ直管ランプの損傷のおそれが低減された、ランプホルダーおよび照明器具を得ることを目的とするものである。
【課題を解決するための手段】
【０００６】
この発明に係るランプホルダーは、照明器具の器具本体に取り付けられた直管ランプを支持するランプホルダーであって、器具本体に取り付けられ、スリットが形成された円弧状のベース部を有する基台と、基台に回動自在に取り付けられた回動ホルダーと、を備え、回動ホルダーは、直管ランプを保持するランプ保持部と、ランプ保持部に連結され、スリットに挿通された挿通部と、挿通部の先端に形成され、ベース部に引っ掛かる係り部と、を有することを特徴とする。
【発明の効果】
【０００７】
この発明によれば、直管ランプを保持する回動ホルダーが、直管ランプとともに回動するように構成されているため、直管ランプを容易に回動させることができ、且つ直管ランプの損傷のおそれが低減されている。
【図面の簡単な説明】
【０００８】
【図１】この発明の実施の形態１に係る照明器具の斜視図である。
【図２】図１に記載のランプホルダーの斜視図である。
【図３】図２に記載の基台の斜視図である。
【図４】図２に記載の回動ホルダーの斜視図である。
【図５】図３に示す基台のスリットに、図４に示す回動ホルダーの取付部を挿入した状態を示す斜視図である。
【図６】図５に記載の回動ホルダーを、基台と相対的に回転させた状態を示す斜視図である。
【図７】図２に記載の回動ホルダーを回動させた状態を示す斜視図である。
【発明を実施するための形態】
【０００９】
以下、図面を参照して、この発明の実施の形態について説明する。なお、各図中、同一または相当する部分には、同一符号を付して、その説明を適宜省略または簡略化する。また、各図に記載の構成について、その形状、大きさおよび配置等は、この発明の範囲内で適宜変更することができる。
【００１０】
実施の形態１．
［照明器具］
図１は、この発明の実施の形態１に係る照明器具１０の斜視図である。図１を用いて、この実施の形態に係る照明器具１０の構成について説明する。この実施の形態に係る照明器具１０は、例えば、室内の天井等に取り付けられ、室内の調光を行うものである。
【００１１】
照明器具１０は、器具本体１１と、反射板１２と、ランプホルダー１３と、を備えている。また、照明器具１０は、器具本体１１の長手方向の一端側に第一ソケット５０を備え、他端側に第二ソケット６０を備えることで、直管ランプ４０を着脱自在に装着することができる。
【００１２】
直管ランプ４０は、例えば、内部に光源となるＬＥＤモジュールが備えられたＬＥＤランプである。直管ランプ４０は、例えば、ＪＥＬ規格準拠のＧＸ１６ｔ−５口金を備えており、一端に保持ピンを有する第一口金４１を備え、他端に給電ピンを有する第二口金４２を備えている。なお、第一口金４１および第二口金４２は、上記のＧＸ１６ｔ−５口金に限定されるものではない。また、直管ランプ４０は、放電タイプのいわゆる蛍光灯であってもよい。
【００１３】
直管ランプ４０は、例えば、第一ソケット５０および第二ソケット６０に、次のように取り付けられる。まず、直管ランプ４０の第一口金４１および第二口金４２が、第一ソケット５０および第二ソケット６０に挿入される。その後に、直管ランプ４０がその周方向に回動されて、第一口金４１および第二口金４２が、第一ソケット５０および第二ソケット６０に機械的に固定され且つ電気的に接続される。このようにして、直管ランプ４０が、第一ソケット５０および第二ソケット６０に取り付けられる。第一ソケット５０または第二ソケット６０の少なくとも一方は、直管ランプ４０の取付完了をクリック感で報知するクリック機構を有している。クリック機構は、例えば、ソケット本体に設けられた凹部と回転子に設けられた凸部とで構成される。
【００１４】
器具本体１１は、例えば、室内の天井等に取り付けられ、照明器具１０全体を支持するものである。器具本体１１には、第二ソケット６０を介して、直管ランプ４０への給電を行う点灯装置（図示せず）が収容されている。反射板１２は、直管ランプ４０から発せられる光を配光する機能を有する。
【００１５】
ランプホルダー１３は、直管ランプ４０の第一ソケット５０と第二ソケット６０との間の途中部を支えるものである。ランプホルダー１３は、例えば、直管ランプ４０のカバーを支持して、直管ランプ４０のたわみ、破損および落下等を防止する。なお、この実施の形態の例では、照明器具１０が、１つのランプホルダー１３を備えた例についての説明を行うが、照明器具１０は、複数のランプホルダー１３を備えていてもよい。
【００１６】
［ランプホルダー］
図２は、図１に記載のランプホルダー１３の斜視図である。図３は、図２に記載の基台２０の斜視図である。図４は、図２に記載の回動ホルダー３０の斜視図である。図２〜図４を用いて、ランプホルダー１３の構成について具体的に説明する。図２に示すように、ランプホルダー１３は、基台２０および回動ホルダー３０を備えている。
【００１７】
［基台］
図２および図３に示すように、基台２０は、回動ホルダー３０が回動自在に取り付けられるものであって、ベース部２０ａと固定部２１とを有する。ベース部２０ａと固定部２１とは、例えば板金に打ち抜き加工、切り起こし加工、曲げ加工等を施して、一体的に形成される。なお、ベース部２０ａと固定部２１とが別部材で構成され、これらが溶接等の手段によって固定されていてもよい。また、基台２０は、金属材料で形成されるものに限られず、例えば、樹脂材料を成形して形成されてもよい。
【００１８】
ベース部２０ａは、円弧形状を有し、その周方向に沿って、回動ホルダー３０が取り付けられるスリット２２が形成されている。ベース部２０ａには、回動ホルダー３０の係り部３１ａが引っ掛かるようになっている。ベース部２０ａの周方向の中央部は、例えば、固定部２１の内側において、平坦に形成されており、回動ホルダー３０の係り部３１ａが安定的に引っ掛かるようになっている。
【００１９】
スリット２２は、ベース部２０ａの周方向の両端に向かって、第一端部２３ａおよび第二端部２３ｂまで延びている。スリット２２は、直管ランプ４０の取付軸を中心とした挿通部３１ｂの回動を、±９０度の範囲内で制限するように形成されている。例えば、この実施の形態の例では、スリット２２は、挿通部３１ｂが直管ランプ４０の取付軸を中心に±９０度の範囲で回動するように、形成されているが、スリット２２は、第一ソケット５０および第二ソケット６０の仕様（回動範囲）に合わせて、適宜形成されるものである。
【００２０】
固定部２１は、器具本体１１に固定されるものであり、ベース部２０ａの中央から、円弧の径方向の外方に向かって突出している。固定部２１は、ベース部２０ａから、円弧の外側に向かって立ち上げられた脚部２１ａと、脚部２１ａに連結された取付台座２１ｂとを有する。
【００２１】
取付台座２１ｂには、例えば、ねじ挿通穴である取付部２１ｃが設けられており、基台２０は、取付部２１ｃを介して、反射板１２（図１を参照）にねじ止めされている。なお、基台２０は、器具本体１１にねじ止めされてもよい。また、基台２０と器具本体１１または反射板１２とは、例えば、一方の部材に形成された引っ掛け爪と、他方の部材に形成され、引っ掛け爪を係止する係り部と、を利用して固定されてもよい。また、例えば、基台２０と器具本体１１または反射板１２とは、溶接によって固定されてもよい。また、基台２０と反射板１２とは、一体的に形成されてもよい。
【００２２】
［回動ホルダー］
図２および図４に示すように、回動ホルダー３０は、ベース部２０ａの内側で、基台２０に回動自在に取り付けられるものであって、取付部３１とランプ保持部３２とを有する。取付部３１とランプ保持部３２とは、例えば板金に打ち抜き加工、切り起こし加工、曲げ加工等を施して、一体的に形成される。なお、取付部３１とランプ保持部３２とが別部材で構成され、これらが溶接等の手段によって固定されていてもよい。回動ホルダー３０は、金属材料で形成されるものに限られず、例えば、樹脂材料を成形して形成されてもよい。
【００２３】
ランプ保持部３２は、直管ランプ４０を保持するものである。ランプ保持部３２は、ベース部２０ａよりも小さい径の円弧形状を有し、その両側の先端に挿入爪３２ａが形成されている。挿入爪３２ａは、ランプ保持部３２の周方向に沿った両端が、外側に曲げられて形成されており、直管ランプ４０は、挿入爪３２ａを介して、挿入口３２ｂから、ランプ保持部３２内にスムーズに挿入される。ランプ保持部３２に挿入された直管ランプ４０は、ランプ保持部３２によって狭持される。
【００２４】
取付部３１は、ランプ保持部３２の中央から、円弧の径方向の外方に向かって突出している。回動ホルダー３０は、取付部３１を介して、基台２０に取り付けられる。取付部３１は、ランプ保持部３２から、円弧の外側に向かって立ち上げられた挿通部３１ｂと、挿通部３１ｂのそれぞれの先端に形成された係り部３１ａと、を有する。係り部３１ａは、挿通部３１ｂの突出方向と交差する平面において、挿通部３１ｂから突出するように形成されている。
【００２５】
［ランプホルダー組立］
図５は、図３に示す基台２０のスリット２２に、図４に示す回動ホルダー３０の取付部３１を挿入した状態を示す斜視図である。図６は、図５に記載の回動ホルダー３０を、基台２０と相対的に回転させた状態を示す斜視図である。図５および図６を用いて、ランプホルダー１３の組立の一例について説明する。
【００２６】
まず、図５に示すように、基台２０の固定部２１の突出方向から見たときに、ランプ保持部３２が、ベース部２０ａと直交するように向きを合わせて、回動ホルダー３０の取付部３１が、基台２０のスリット２２に挿入される。
【００２７】
次に、図６に示すように、取付部３１の挿通部３１ｂを、スリット２２に収容させた状態で、ランプ保持部３２が、ベース部２０ａと平行になるように、回動ホルダー３０が回転される。基台２０と回動ホルダー３０とが平行になると、挿通部３１ｂがスリット２２内に収容された状態で、基台２０と回動ホルダー３０とが分離しないようになる。すなわち、挿通部３１ｂの係り部３１ａ側では、係り部３１ａとベース部２０ａとが係止し（図２参照）、挿通部３１ｂのランプ保持部３２側では、ランプ保持部３２とベース部２０ａとが係止するようになっている（図示せず）。
【００２８】
［ランプホルダーの動作］
図７は、図２に記載の回動ホルダー３０を回動させた状態を示す斜視図である。図２および図７を用いて、ランプホルダー１３の動作について説明する。まず、図２に示すように、回動ホルダー３０の取付部３１を、基台２０のスリット２２の中央に合わせるように、回動ホルダー３０を位置させて、ランプホルダー１３を準備状態に設定する。
【００２９】
ランプホルダー１３を準備状態に設定した状態で、直管ランプ４０を、図１に示す第一ソケット５０および第二ソケット６０に挿入すると、直管ランプ４０は、ランプ保持部３２に挿入されて、ランプ保持部３２に狭持される。例えば、このときに、回動ホルダー３０の基台２０側への移動が規制されており、直管ランプ４０を第一ソケット５０および第二ソケット６０に挿入するのみで、直管ランプ４０がランプ保持部３２に挿入される。例えば、回動ホルダー３０の係り部３１ａが、固定部２１の内側で取付ねじ（図示せず）に当接して、回動ホルダー３０の基台２０側への移動が規制される。または、ランプ保持部３２が、ベース部２０ａに当接して、回動ホルダー３０の基台２０側への移動が規制される。直管ランプ４０が取り付けられると、基台２０と回動ホルダー３０との平行状態が維持されるため、回動ホルダー３０が基台２０から分離しないようになる。
【００３０】
次に、図７に示すように、直管ランプ４０が、周方向に回動されると、第一口金４１および第二口金４２が、第一ソケット５０および第二ソケット６０と、機械的に固定され且つ電気的に接続され、取付状態となる。このときに、回動ホルダー３０は、直管ランプ４０とともに回動する。回動ホルダー３０の挿通部３１ｂは、第一端部２３ａに当接するまで、スリット２２内でスムーズに移動する。
【００３１】
回動ホルダー３０の係り部３１ａは、例えば、少なくとも、直管ランプ４０が取付状態となったときに、ベース部２０ａに当接するようになっている。
【００３２】
［実施の形態１の効果］
上記のように、この実施の形態では、直管ランプ４０を狭持した回動ホルダー３０が、直管ランプ４０とともに回動するように、基台２０に取り付けられている。その結果、この実施の形態では、直管ランプ４０の取付時に、直管ランプ４０を容易に回動させることができる。従来では、ホルダーに狭持された直管ランプを、ホルダーに対して摺動させながら回動させていたため、直管ランプを回動させにくいという問題点がある。従来と比較して、この実施の形態では、直管ランプ４０は、ランプ保持部３２に保持された状態で、回動ホルダー３０とともに、スリット２２を利用して回動するため、直管ランプ４０を容易に回動させることができる。
【００３３】
したがって、この実施の形態によれば、直管ランプ４０をスムーズに回動させて、直管ランプ４０を容易に取り付けることができる。さらに、直管ランプ４０をスムーズに回動させることができるので、直管ランプ４０が取付状態になったときに、第一ソケット５０または第二ソケット６０の少なくとも一方が報知するクリック感を良好に得ることができる。さらにまた、直管ランプ４０が回動ホルダー３０とともに回動するため、直管ランプ４０が損傷することが防止されている。
【００３４】
さらに、この実施の形態では、直管ランプ４０を狭持した回動ホルダー３０の挿通部３１ｂが、基台２０に形成されたスリット２２の第一端部２３ａまたは第二端部２３ｂに当接することによって、回動ホルダー３０の回動が規制されるように構成されている。このため、この実施の形態では、直管ランプ４０の取付状態に到達するまで、直管ランプ４０が確実に回動される。すなわち、この実施の形態では、直管ランプ４０の回転不足が防止され、直管ランプ４０が確実に取り付けられる。
【００３５】
さらに、この実施の形態では、直管ランプ４０の回動範囲が、挿通部３１ｂとスリット２２とによって規制されているため、直管ランプ４０の回動過多が防止されている。その結果、この実施の形態では、過度に力を加えて直管ランプ４０を回動させることによって、第一ソケット５０および第二ソケット６０が、破損するおそれが軽減されている。また、直管ランプ４０の取付状態において、挿通部３１ｂが、第一端部２３ａまたは第二端部２３ｂに当接しているため、直管ランプ４０が、好適に支持されている。
【００３６】
さらに、この実施の形態では、直管ランプ４０を回動させているときに、回動ホルダー３０の係り部３１ａが、ベース部２０ａと当接しないように構成されている。その結果、この実施の形態では、直管ランプ４０をスムーズに回動させることができる。また、係り部３１ａは、直管ランプ４０の取付状態において、ベース部２０ａに当接しているため、直管ランプ４０が振動等から好適に保護されている。
【００３７】
また、この実施の形態では、直管ランプ４０が取付状態になったときに、ランプ保持部３２は、直管ランプ４０を落下方向で支持している。その結果、この実施の形態では、ランプ保持部３２は、直管ランプ４０が重力の影響で撓む方向において、直管ランプ４０を好適に支持することができる。
【００３８】
さらに、この実施の形態では、直管ランプ４０が取付状態になったときに、挿入口３２ｂの少なくとも一部が基台２０に覆われている。このため、この実施の形態では、例えば振動等によって、直管ランプ４０が、ランプ保持部３２から外れにくい構造になっている。
【００３９】
この発明は、上記の実施の形態に限定されるものではなく、この発明の範囲内で種々に改変することができる。すなわち、上記の実施の形態の構成を適宜改良してもよく、また、少なくとも一部を他の構成に代替させてもよい。さらに、その配置について特に限定のない構成要件は、実施の形態で開示した配置に限らず、その機能を達成できる位置に配置することができる。
【００４０】
例えば、直管ランプ４０が取付状態となったときに、振動などの影響によって、回動ホルダー３０が回動しないように、適宜の構成を追加することができる。例えば、直管ランプ４０が取付状態となったときに、基台２０と回動ホルダー３０とを、ボルトおよびナット等を用いて固定する。また、直管ランプ４０が取付状態となったときに、ベース部２０ａをわずかに撓ませるように、ベース部２０ａに係り部３１ａを係止させてあってもよい。
【符号の説明】
【００４１】
１０  照明器具、１１  器具本体、１２  反射板、１３  ランプホルダー、２０  基台、２０ａ  ベース部、２１  固定部、２１ａ  脚部、２１ｂ  取付台座、２１ｃ  取付部、２２  スリット、２３ａ  第一端部、２３ｂ  第二端部、３０  回動ホルダー、３１  取付部、３１ａ  係り部、３１ｂ  挿通部、３２  ランプ保持部、３２ａ  挿入爪、３２ｂ  挿入口、４０  直管ランプ、４１  第一口金、４２  第二口金、５０  第一ソケット、６０  第二ソケット。
【図１】
2016001533.tif 000003
【図２】
2016001533.tif 000004
【図３】
2016001533.tif 000005
【図４】
2016001533.tif 000006
【図５】
2016001533.tif 000007
【図６】
2016001533.tif 000008
【図７】
2016001533.tif 000009